(57)【特許請求の範囲】
【請求項１】
キーボード及びポインティングデバイスが設けられている一面領域を有した第１本体と、上記一面領域に連続する他の一面領域を有した第２本体とを有する本体と、
ディスプレイと、
前記ポインティングデバイスが露出させた状態で、
前記一面領域でキーボードの全体が覆われた第１位置と、前記一面領域で前記キーボードの一部が覆われて前記一面領域と前記他の一面領域とに重なる面積が前記第１位置より小さい第２位置と、の間で水平回転可能に前記ディスプレイの背面と前記他の一面領域とを結合するとともに、
前記第２位置と、前記他の一面領域のみに重なり前記一面領域で前記キーボードの全体が露出される第３位置と、の間でスライド可能に前記ディスプレイの背面と前記他の一面領域とを結合した結合部材と、
を備え、
前記第１本体に対して前記第２本体は、前記他の一面領域を前記一面領域の延長上に配置した延長位置と、前記他の一面領域を前記一面領域に対して接近させるよう交差させた交差位置と、の間で回動可能に結合され、
前記延長位置で前記第２本体が、前記結合部材による前記水平回転を可能にし、
前記ディスプレイの前記第２位置から上記第３位置へのスライドが、前記第２本体の前記延長位置と前記交差位置との間の回動を可能にする、
ことを特徴とする電子機器。
【請求項２】
前記本体は、前記第１本体及び前記第２本体が並んでいる方向に細長く、前記第２本体の前記一面領域において前記ディスプレイがスライドする方向は前記本体の長手方向である、
ことを特徴とする請求項１に記載の電子機器。
【発明の詳細な説明】
【技術分野】
【０００１】
本発明は、電子機器に関係している。
【背景技術】
【０００２】
過去数年間にわたり、特に、強化されたデータ処理機能に鑑みて、ポータブルコンピュータに対する需要が増大していた。外部電源又はポータブル電源のいずれかから操作して、従来のポータブルコンピュータは、一体化されているキーボードを伴なっている本体に接続され取り付けられている液晶ディスプレイ（ＬＣＤ）を特徴とする。
【０００３】
１タイプの従来のポータブルコンピュータによれば、ＬＣＤは、垂直な回転軸に沿って本体に回転自在に取り付けられている。その結果、コンピュータは、ＬＣＤが本体上に直接位置したときのタブレットコンピュータとして、あるいは、ＬＣＤが本体から回転されオフセットされたときのラップトップコンピュータとしてのいずれかとして一般に機能することが可能である。
【０００４】
この従来のポータブルコンピュータは、ポインタの全方向の動きを可能にするいかなるポインティングデバイスも提供することができない。この技術によって、ポインティングデバイスがポータブルコンピュータに配備されたとしても、それは、このポータブルコンピュータがタブレットコンピュータとして使用されるとき完全に隠されてしまう。むしろ、このポインティングデバイスを使用するためには、ポータブルコンピュータは、同様に覆われていないキーボードを伴なったラップトップコンピュータとして位置される必要がある。
【０００５】
別のタイプの従来のポータブルコンピュータによれば、ＬＣＤは機械式ガイドによって本体に取り付けられている。これらのガイドは、本体の両側に位置決めされていて、ＬＣＤの両縁と接触している。これらのガイドに沿って横方向に移動されたとき、ＬＣＤは本体とほぼ平行のままである。或いは、ＬＣＤの上側は、ＬＣＤの底側が機械式ガイド内で移動されたときに上げられる。
【０００６】
同様に、この従来のポータブルコンピュータは、データをスクロールするための限定された入力を提供する操縦ボタンを特徴としている。これらの操縦ボタンは、表示されているページをリフレッシュすることが明らかであり、ポインタの全方向の連続的な動きのために適合されたポインティングデバイスを構成しない。
【発明の開示】
【発明が解決しようとする課題】
【０００７】
電子機器の本体に対するディスプレイの回転及びスライドが可能であり、これら回転及びスライドに必要な空間容積を小さく出来る電子機器を提供することである。
【課題を解決するための手段】
【０００８】  請求項１に係る電子機器は：
キーボード及びポインティングデバイスが設けられている一面領域を有した第１本体と、上記一面領域に連続する他の一面領域を有した第２本体とを有する本体と、
ディスプレイと、
前記ポインティングデバイスが露出させた状態で、
前記一面領域でキーボードの全体が覆われた第１位置と、前記一面領域で前記キーボードの一部が覆われて前記一面領域と前記他の一面領域とに重なる面積が前記第１位置より小さい第２位置と、の間で水平回転可能に前記ディスプレイの背面と前記他の一面領域とを結合するとともに、
前記第２位置と、前記他の一面領域のみに重なり前記一面領域で前記キーボードの全体が露出される第３位置と、の間でスライド可能に前記ディスプレイの背面と前記他の一面領域とを結合した結合部材と、
を備え、
前記第１本体に対して前記第２本体は、前記他の一面領域を前記一面領域の延長上に配置した延長位置と、前記他の一面領域を前記一面領域に対して接近させるよう交差させた交差位置と、の間で回動可能に結合され、
前記延長位置で前記第２本体が、前記結合部材による前記水平回転を可能にし、
前記ディスプレイの前記第２位置から上記第３位置へのスライドが、前記第２本体の前記延長位置と前記交差位置との間の回動を可能にする、
ことを特徴とする。
【発明の効果】
【００１２】
上述した如く構成されているこの発明に従えば、本体に対するディスプレイの位置にかかわらず、アクセス可能なポインティングデバイスを備えている電子機器を提供することが出来る。
【発明を実施するための最良の形態】
【００１３】
以下の詳細な説明に記述される本発明の実施の形態は、一般に、電子機器の本体に対するディスプレイの位置にかかわらず、使用者にアクセス可能なポインティングデバイス付き電子機器に関する。この電子機器は、さらにまた、１つまたは複数のデジタル画像を撮像するカメラと、ポインティングデバイスによるメニュー方式選択（ｍｅｎｕ−ｄｒｉｖｅｎ  ｓｅｌｅｃｔｉｏｎ）に依存することなく特定のタスクを行う１つまたは複数のホットキーと、を備えている。
【００１４】
また、センサと協働して機能し、ソフトウェアアプリケーションは、ディスプレイハウジングの回転（あるいは、回転がないこと）を検出するために、電子機器内に搭載されることができる。このような検出は、電子機器が特定の位置に配置されたときに入力装置が入力データを提供することを許されることを制御するのに使用されることができる。
【００１５】
以下の説明において、特定の専門用語が、本発明の１つまたは複数の実施の形態の様々な特徴を説明するのに使用される。例えば、「電子機器」は、回転および変位されることが可能なフラットパネルディスプレイを伴なった電子製品として定義されている。この詳細な説明において、明瞭化のために、電子機器は、自立型のポータブルコンピュータに変換可能な手持ち型タブレットコンピュータとして示されている。しかしながら、本発明は、これらに限定、あるいは、制約されるわけではないが、パーソナル・デジタル・アシスタント、携帯電話、デジタルカメラ、ビデオカメラ、ナビゲーションシステム，及びこれらと同様な物を含む他のタイプの電子機器に使用可能であることは明らかである。
【００１６】
ここでは、用語「回転する」およびその時制の変化形は、一般に、回転軸まわりの角度の変動として定義されている。回転軸は、電子機器の全体の方向に対し相対的に固定されることができる。この詳細な説明のために、回転の方向を示すのに使用される場合、用語「垂直に回転する」（または、そのあらゆる時制の変化形）は、ほぼ水平な回転軸まわりの回転に関する。同様に、用語「水平に回転する」（または、そのあらゆる時制の変化形）は、ほぼ垂直な回転軸まわりの回転に関する。用語「変位する」、「変位」、または、そのあらゆる時制の変化形は、線形移動として定義されている。
【００１７】
用語「相互接続」は、ある地点から別の地点へ電気信号を伝送することが可能なあらゆる媒体である。相互接続の例は、１つまたは複数の電線、あらゆるタイプのケーブル（例えば、可撓性の印刷ケーブル）、光ファイバなどを含むことができる。「ディスプレイ相互接続」は、１つの端部で、フラットパネルディスプレイなどのディスプレイに結合される単なる相互接続である。
【００１８】
Ｉ．一般的な技術
図１を参照すると、「タブレット（ＴＡＢＬＥＴ）」位置に配置される電子機器１００の例示的な実施の形態の側面図が示されている。ここでは、電子機器１００は、結合部材（図示せず）を介して本体１２０に回転自在に取り付けられるディスプレイ１１０を備えている。ここでは、電子機器１００は、第１の（ポートレイト）位置に配置されているディスプレイ１１０を伴なったタブレットコンピュータとして機能する。
【００１９】
より詳細には、このディスプレイ１１０は、フラットパネルディスプレイ１１２だけでなく、そのフラットパネルディスプレイ１１２に表示可能な画像を生成するための回路のすべてまたは一部を含有している。フラットパネルディスプレイ１１２の例は、液晶ディスプレイ（ＬＣＤ）、プラズマディスプレイなどを含むが、これらに限定、あるいは、制約されない。
【００２０】
この実施の形態によれば、本体１２０は、ヒンジ１５０によって互いに回転自在に結合される第１本体１３０と第２本体１４０とを備えている。このヒンジ１５０は、例えば、ブレーキヒンジなどの１つまたは複数の摩擦ヒンジとして構成されることができる。これにより、第２本体１４０が、垂直に回転され、あらゆる選択された回転角度（α、０≦α≦１３５）に維持されることを可能にする。しかしながら、角をなす方向に第２本体１４０を維持する必要がない場合、ヒンジ１５０は、ブレーキヒンジを含む必要がないとことが予想される。
【００２１】
第１本体１３０は、ベース１３１と、このベース１３１から延在する１つまたは複数の突出部１３２とを備えている。このベース１３１には、隆起領域１３３が構成され、この隆起領域は、フラットパネルディスプレイ１１２の縁１１４の湾曲と相補的であり、ディスプレイ１１０の頂面１１６とほぼ同一平面であるように輪郭づけられている。隆起領域１３３は、電子機器１００が「タブレット」位置にあるときにアクセス可能なポインティングデバイス２００を特徴としている。
【００２２】
図２に示されるような、本発明のこの実施の形態について、ポインティングデバイス２００は、ポインタガイド２０２と、１つまたは複数の選択ボタン（例えば、ボタン２０４および２０６）とを備えている。ポインタガイド２０２によって、使用者はフラットパネルディスプレイ１１２上に表示されるポインタの位置を自由に調節することができる。このポインタガイド２０２は、トラックボール、タッチパッド、あるいは、図示のようなタクタイル装置としてさえ種々に構成されることができる。デュアル選択ボタン２０４および２０６は、デスクトップマウスの「左選択」ボタンおよび「右選択」ボタンに似ている。
【００２３】
図１に戻って参照すると、ベース１３１にはまた、メモリインタフェース１３４が適用されている。このメモリインタフェース１３４は、１つまたは複数の以下のもの：メモリカード（例えば、ＰＣＭＣＩＡカード）、デジタル・バーサタイル・ディスク（ＤＶＤ）、コンパクトディスク（ＣＤ）、デジタルテープ、又はフロッピーディスク、などのポータブルメモリデバイスを受け取るためのベイ、あるいは、通信用ポートとして構成されることができる。
【００２４】
突出部１３２は、第２本体１４０の凹状部分１４２の下に延在する。例えば、本発明の一実施の形態によれば、突出部１３２は、第２本体１４０の長手方向の中心までほぼ延在している。
【００２５】
第１グロメット対１６０は、ベース１３１の底面１３５に位置決めされている。さらに、第２グロメット対１６２は、突出部１３２の底面１３６に位置決めされている。これらのグロメット対１６０、１６２は、テーブルあるいは他の平坦な表面上で使用されるとき電子機器１００のスライディングを防止する。
【００２６】
第２本体１４０は、ディスプレイ１１０が以下に示されるように適切に回転および変位された後、ヒンジ１５０によって確立される回転軸まわりに回転されることができる。一対のグロメット１６４が、第２本体１４０の底面１４４に位置決めされている。
【００２７】
任意に、カメラ１７０を、第２本体１４０の端部１４６に沿って回転自在に結合させることができる。このような結合は、摩擦ヒンジによって達成されることができ、それは、使用者によって手動で設定される方向に面してカメラ１７０を維持する。カメラ１７０の始動時、撮像されたデジタル画像は、本体１２０内の回路によって処理され、（ｉ）本体１２０内に配備される揮発性メモリまたは不揮発性メモリに、あるいは、（ｉｉ）上述されるようなメモリインタフェース１３４に構成される携帯型メモリデバイスに格納される。
【００２８】
ここで図２を参照すると、「タブレット」位置に配置される電子機器１００の俯瞰図が示されている。ここでは、ディスプレイ１１０のフラットパネルディスプレイ１１２は、電子機器１００がポータブルタブレットとして機能する積み重ね配置で本体１２０に取り付けられている。本発明のこの実施の形態について、ディスプレイ１１０は、縁１１４で凹形湾曲を、縁１１５で凸形湾曲を有する細長い形状に構成されている。この方向において、ディスプレイ１１０は、少なくとも半分を、そして、示されているように、ポインティングデバイス２００を除くが第１本体１３０に一体化されているキーボード（図示せず）を含む本体１２０のフットプリント（footprint:投影面）の７０パーセント以上を覆う。
【００２９】
図２に示されるように、１つまたは複数のホットキー１１８が、ディスプレイ１１０の縁１１５近くに一体化されている。「ホットキー」は、触針（ｓｔｙｌｕｓ）との接触などで始動されるとき、ポインティングデバイス２００を介してメニューからエントリを選択することによるよりもずっと迅速にタスクを実行させる凹状領域である。これらのタスクは、製造中に規定されプログラムされることが可能であり、あるいは、使用者によってプログラムされることが可能である。一般に、ホットキー１１８によって制御される例示的なタスクは、アプリケーションをスタートすること、ネットワーク接続（例えば、電子メール）を確立すること、パワーダウン手順を開始することなどを含んでいる。
【００３０】
別の方法として、ホットキー１１８は、「スタイルパラメータ」、すなわち、電子機器１００が「タブレット」位置に配置されるとき触針、あるいは、他の筆記用具によって生成されるライン表現と関連するインディシアを調節するのに使用されることができるということが予想される。例えば、１つまたは複数のホットキー１１８は、線の色、線の太さ、線のパターン（例えば、実線、破線など）を調節するのに使用されることができる。このホットキー１１８は、さらに、ラインに特別の効果（例えば、ハイライト、カラー混合、あるいは、あらゆる他の別の方法の線の色、太さまたはパターン）をもたらすのに使用可能である。
【００３１】
図３を参照すると、電子機器１００の底側１３５、１３６、１４４の底面図が示されている。第１本体１３０には、ディスプレイ１１０が図４および図５に示されるように、回転、あるいは、変位されるとき安定性をもたらすのに使用される突出部１３２が構成されている。ベース１３１は、電子機器１００が「フリースタンディング（ＦＲＥＥ−ＳＴＡＮＤＩＮＧ）」位置に配置されるときディスプレイ１１０に十分な支持を与えるような大きさに作られている。グロメット対１６０、１６２は、第１本体１３０の両側に位置決めされ、使用中の滑りを減少するように適切に間隔が置かれている。
【００３２】
ここで図４および図５を参照すると、「フリースタンディング」位置に配置された電子機器１００の斜視図が示されている。ここでは、第２本体１４０は、回転角度（α）によって垂直に回転されている。このような回転は、ディスプレイ１１０が、以下に詳細に記述されるようにカメラ１７０の方に向って水平に回転および変位された後に行われる。ゆえに、ポインティングデバイス２００およびキーボード２１０は、ディスプレイ１１０が半分以上、多分、第２本体１４０のフットプリントの７０パーセント以上を覆うので、使用者によって十分にアクセス可能である。
【００３３】
第２本体１４０は、第１本体１３０の突出部１３２を収容するような大きさに作られる凹状部分１４２を備えている。その結果、本体１３０、１４０の全体の底面は、電子機器１００が図１に示されるような「タブレット」位置に配置されるときほぼ平面である。さらに、第２本体１４０は、筆記用具のためのホルダー１８０を特徴とする。一実施の形態によれば、このホルダー１８０は、第２本体１４０内に形成され、端部１４６に位置決めされる空洞でよい。しかしながら、このホルダー１８０は、電子機器１００上の異なる位置に構成および位置決めされることが可能であることが予想される。
【００３４】
ここで図６の（Ａ）および（Ｂ）を参照すると、結合部材３００の実施の形態の分解図が示されている。いうまでもなく、この結合部材３００は、説明されているものとは異なる様々な物理的構成で生成されることができる。その構成にかかわらず、結合部材３００によって、ディスプレイ１１０が本体１２０全体にわたり回転および変位することができる。
【００３５】
例えば、図６の（Ａ）および（Ｂ）に示される実施の形態のそれぞれにおいて、結合部材３００は、留め具要素３２０と固定要素３３０とを相互接続するシャフト３１０を備えている。シャフト３１０および要素３２０、３３０の両方は、硬化プラスチック、金属、そしてこれらと同等な物のような剛い組成物で作られることができる。留め具要素３２０および固定要素３３０の形状は、設計の観点から選択することができる。
【００３６】
図６の（Ａ）に示されるような本発明の一実施の形態によれば、シャフト３１０および固定要素３３０は、同一要素として共に形成される。シャフト３１０は、留め具要素３２０に結合するように適合される第１端部３１２を備えている。例えば、第１端部３１２は、留め具要素３２０の空洞３２２に挿入されるような大きさに作られ、構成されることができ、その後、留め具要素３２０によって保持される。
【００３７】
１つの例示として、第１端部３１２は、留め具要素３２０に位置する相補的な雌空洞３２２と噛み合うように構成される「スナップイン」挿入部であってよい。或いは、別の例示として、第１端部３１２は、ねじ、溶接、接着、及びこれらと同等の物の別の従来の結合技術によって留め具要素３２０に結合されることができる。
【００３８】
図６の（Ｂ）に示されるような本発明の別の実施の形態によれば、シャフト３１０および留め具要素３２０は、単一の要素として共に形成されることができる。シャフト３１０は、あらゆる結合技術を使用して固定要素３３０に結合される第２端部３１４を備えている。いうまでもなく、シャフト３１０および要素３２０、３３０は、同様に、単一の成形要素として構成されることができるということが予想される。
【００３９】
ここで、図６の（Ａ）および（Ｂ）の両方にさらに示されるように、留め具要素３２０は、ディスプレイ１１０の底面３５０のほぼ中心に形成されるソケット３４０に挿入されるように構成されている。このソケット３４０は、そこに挿入される留め具要素３２０を堅固に保持するように形成される（図６の（Ａ））。そうでない場合、付加的な留め具（例えば、ねじ、リベットなど）が、使用できる（図６の（Ｂ））。従って、ディスプレイ１１０は、結合部材３００の回転および変位に応じて回転および変位される。
【００４０】
いうまでもなく、留め具要素３２０は、ディスプレイ１１０に一体化される、あるいは、ディスプレイ１１０の一部分として予め形成されるということが予想される。これらの実施の形態について、結合部材３００は、留め具要素３２０（あるいは、ディスプレイ１１０）および固定要素３３０に適合されたシャフト３１０を備えている。
【００４１】
図７を参照すると、「タブレット」位置に配置された電子機器１００の実施の形態の上面図が示されている。ここでは、本体１２０は、相互接続領域４４０を形成する第１開口部４００および第２開口部４２０を備えている。これらの開口部４００、４２０は、第２開口部４２０のかなりの部分が本体１２０の長手方向中心にほぼ位置決めされるように第２本体１４０内に位置されている。
【００４２】
本発明のこの実施の形態について、第１開口部４００は、ディスプレイ相互接続４３０のための導管として構成され、それは、フラットパネルディスプレイを、本体１２０内に収容される回路（例えば、デジタルアナログ変換器、プロセッサ、チップセット、メモリなど）と電気的に結合するのに使用されている。第１開口部４００は、複数の外周縁４０２〜４０６を含み、それらは、全体として、三つの相互接続保持領域４１０、４１２、４１４を形成する。細長開口（channel)４１６が、保持領域４１２と保持領域４１４の間に形成される。
【００４３】
ここに記述されるように、ディスプレイ相互接続４３０は、電子機器が「タブレット」位置に配置されるとき保持領域４１０にある。ディスプレイ相互接続４３０は、電子機器１００がタブレットコンピュータとして機能するときにディスプレイ１１０が回転され、第１位置から変位されるとき保持領域４１２、４１４にある。
【００４４】
本発明のこの実施の形態について、第１外周縁４０２には、保持領域４１０、４１２の間にディスプレイ相互接続４３０の連続移行部を設けるために弓形状の凸形湾曲が構成されている。弓形の半径は、本体１３０の中心とディスプレイ相互接続との間の間隔に等しいということが予想される。しかしながら、他の実施の形態において、弓形の半径は、異なる大きさに作られることができる。
【００４５】
ここでは、第２外周縁４０３には、第１外周縁４０２の鏡像である弓形状湾曲が構成されている。しかしながら、第２外周縁４０３は、破線によって表現されるようなほぼ直線外周縁４０７、４０８の代わりに用いられうることが予想されている。
【００４６】
他の外周縁４０４〜４０６は、一般に、細長開口（channel)４１６を形成し、それによって、ディスプレイ相互接続４３０が以下に記述されるように第２保持領域４１２と第３保持領域４１４との間を移動することが可能である。
【００４７】
さらに、図７を参照すると、第２開口部４２０は、結合部材３００のシャフト３１０の回転および変位の角度を限定するように形成されている。本発明のこの実施の形態について、第２開口部４２０には、線形細長開口（channel)部分４２２と、その細長開口（channel)部分４２２の１つの端部に近接して位置決めされる拡張部分４２４と、がキーホール形状に形成されている。本発明の一実施の形態において、拡張部分４２４は、本体１２０の中心に位置決めされている。
【００４８】
外周縁４２６、４２７と外周縁４２８の一部とによって画定される拡張部分４２４は、細長開口（channel)部分４２２よりも幾分広い。これにより、シャフト３１０が回転されるときディスプレイ１１０の回転を可能にする。
【００４９】
本発明のこの実施の形態について、シャフト３１０は、細長開口（channel)部分４２２の幅を越える長さ（Ｌ）と、細長開口（channel)部分４２２の幅よりわずかに小さい幅（Ｗ）とを有する矩形断面積を有している。シャフト３１０の位置決めおよび形状は、それに取り付けられるディスプレイ１１０の回転および変位を制約するように選択される。例えば、シャフト３１０が、示されているように「縦」方向に位置されるとき、結合部材３００の変位は、変位経路に直交するシャフト３１０の第１側部３１６が細長開口（channel)部分４２２の幅を越えるので、妨げられる。
【００５０】
さらに、図７に示されるように、外周縁４２６の形状に加えてシャフト３１０の断面形状により、ほぼ９０度（９０゜）だけシャフト３１０の反時計回り（ＣＣＷ）回転を可能にする。しかしながら、９０度以上のあらゆる回転は、シャフト３１０の第１側部３１６が外周縁４２８と接触するので妨げられる。同様に、シャフト３１０の断面形状は、電子機器１００が「タブレット」位置に配置されるときディスプレイ１１０の時計回り（ＣＷ）回転を防止する。
【００５１】
ここで図８を参照すると、本体１２０内の相互接続領域４４０の多重層の実施の形態が示されている。相互接続領域４４０は、第２本体１４０内に構成されるスロット４５０を特徴とする。このスロット４５０は、結合部材３００のシャフト３１０の長さよりも小さな深さを有している。その結果、シャフト３１０は、本体１２０の第２開口部４２０から突出している。このスロット４５０は、本体１２０内に固定要素３３０を保持するだけでなく、固定要素３３０の変位を可能にするように構成されている。
【００５２】
ここで図９を参照すると、図７の断面線Ａ−Ａに沿った電子機器１００の断面図が示されている。ここでは、結合部材３００の留め具要素３２０は、ソケット３４０に挿入され、ディスプレイ１１０に結合されている。そのために、結合部材３００のあらゆる回転、あるいは、変位が、ディスプレイ１１０の対応する回転、あるいは、変位を生ずる。
【００５３】
示されているように、第２開口部４２０は、結合部材３００の回転および変位を可能にするように構成されるスロット４５０のための開口部を構成する。本発明の一実施の形態によれば、このスロット４５０は、スロット４１０の第１端部５１０に位置される第１保持要素５００を備えている。その第１保持要素５００は、凹部５２０を提供する。
【００５４】
電子機器１００が、「タブレット」位置に配置されるとき、固定要素３３０は、部分的に凹部５２０に挿入される。この凹部５２０は、第１保持要素５００が固定要素３３０に対して下方への力を加えるような大きさに作られている。その結果、結合部材３００は、ディスプレイ１１０の回転の間でさえこの位置に維持される。固定要素３３０は、横方向の力がディスプレイ１１０を変位するために加えられるときだけ凹部５２０から外される。
【００５５】
示されているように、スロット４５０は、さらに、スロット４５０の第２端部５４０に位置される第２保持要素５３０を備えている。第２保持要素５３０は、構成が第１保持要素５００とほぼ同一であり、結合部材３００の固定要素３３０を受容するような大きさに作られる凹部５５０を提供する。
【００５６】
図１０に示されているように、図９の断面線Ｂ−Ｂに沿った第２本体１４０内に位置決めされているスロット４５０の断面図が示されている。二つのフランジ５６０、５７０は、スロット４５０の側壁５８０に取り付けられることができる。これらのフランジ５６０、５７０は、フランジ５６０と５７０との間の間隔（ｄ１）がシャフト３１０のあらゆる側、特に、シャフト３１０の断面の長さよりも広いように互いに内方に延在している。スロット３１０の側壁５８０間の間隔（ｄ２）は、固定要素３３０の回転を可能にするのに十分な長さであるが、結合部材３００の好ましくない横方向の変位を防止（すなわち、固定）する。
【００５７】
ＩＩ．操作モード
図１１〜図１６は、タブレットＰＣとしての使用からポータブルコンピュータへと変化される電子機器１００の実施の形態を示している。これは、以下に記述されるように、ディスプレイ１１０の回転および変位によって達成される。
【００５８】
ここでは図１１を参照すると、「タブレット」位置に配置されている電子機器１００の実施の形態が示されている。ここでは、ディスプレイ１１０は、結合部材によって本体１２０に取り付けられ、第１本体１３０の隆起領域１３３に配置されるポインティングデバイス２００と、第２本体１４０の端部１４６に沿うカメラ１７０とを除いて、本体１２０のほぼ全体を覆っている。
【００５９】
ここでは、ソフトウェアは、電子機器１００が「タブレット」位置にある（すなわち、ディスプレイ１１０が縦長の方向に配置される）ときを検出するよう、電子機器１００内に配備されている。この位置が検出されるとき、ソフトウェアが、フラットパネルディスプレイ１１２上の筆記用具か、あるいは、カメラ１７０かのいずれかからの入力データの受け入れを可能にする。キーボードからの入力データは受け取られない。しかしながら、電子機器１００が、「フリースタンディング」位置に配置された（すなわち、ディスプレイ１１０が水平に回転および変位された）とき、ソフトウェアは、キーボード２１０か、あるいは、カメラ１７０かのいずれかからの入力データを可能にする。触針入力は受け取られない。このことが、電子機器１００の操作性をさらに改善する。
【００６０】
図１２に示されるように、ディスプレイ１１０は、水平に回転される。ここでは、第１本体に一体化されているキーボード２１０は、部分的に露出されている。そのうえ、第２本体１４０のいっそう大きい表面領域が露出されるが、第１開口部４００および第２開口部４２０は、なおディスプレイ１１０によって覆われたままである。
【００６１】
ここで図１３を参照すると、「中間」位置に配置された電子機器１００の実施の形態の俯瞰図が示されている。ここでは、ディスプレイ１１０は、本体１２０のほぼ中心に置かれ、ヒンジ１５０を覆い続け、それにより、第２本体１４０の垂直の回転を防止する。しかしながら、キーボード２１０の一部は見えている。一般に、ディスプレイ１１０は、本体１２０の各本体のフットプリントのほぼ５０パーセントを覆っている。
【００６２】
反時計回り（ＣＣＷ）方向へのほぼ９０度（９０゜）までのディスプレイ１１０の回転後、ディスプレイ相互接続４３０は、第１開口部４００の第１外周縁４０２に沿って第１保持領域４１０から第２保持領域４１２へ変位している。
【００６３】
さらに、結合部材は、反時計回り（ＣＣＷ）方向に９０度（９０゜）まで回転されたが、なお、第２開口部４２０の拡張部分４２４内にある。特に、シャフト３１０が、相応じて回転され、その結果、ここでは、線形細長開口（channel)部分４２２に直交するシャフト３１０の両側のいずれもが細長開口（channel)部分４２２の幅を越えない「横」方向に位置されている。
【００６４】
図１４を参照すると、図１３の断面線Ａ−Ａに沿った電子機器の断面図が示されている。ここでは、固定要素３３０は、回転されているが、なお、保持要素５００によって形成される凹部５２０内に保持されている。
【００６５】
図１５を参照すると、「フリースタンディング」位置に配置されている電子機器１００の実施の形態が示されている。一般に、ディスプレイ１１０は、第２開口部４２０の細長開口（channel)部分４２２に沿って結合部分を変位することによって調節される。その結果、ディスプレイ１１０は、ヒンジ１５０に触れぬよう位置決めされ、ポインティングデバイス２００およびキーボード２１０を含む第１本体１３０全体を露出する。これにより、ディスプレイ１１０と一緒に、第２本体１４０が、ヒンジ１５０により垂直に回転されることを可能にする。そのような回転の間、第１本体１３０の突出部１３２は、ディスプレイ１１０の角をなしている位置決めのバランスを保たせ維持する脚部として機能する。
【００６６】
ここで今度は図１６を参照すると、図１５の断面線Ａ−Ａについての電子機器１００の断面図が示されている。ここでは、結合部材３００の固定要素３３０は、凹部５２０から外れている。結合部材３００は、第１端部５１０からスロット４５０の第２端部５４０に変位されている。その後、固定要素３３０は、第２保持要素５３０によって形成される第２の凹部５５０に挿入される。
【００６７】
ＩＩＩ．キーパッド追加（KEYPAD ADD-ON)
図１７を参照すると、電子機器１００のフラットパネルディスプレイ１１２の一部分、あるいは、全体に配置されるカバー６００の実施の形態が示されている。一般に、このカバー６００は、力が材料に加えられるとき、電子機器１００が、そのような力が加えられるフラットパネルディスプレイ１１２上の領域を検出することが可能である材料で作られている。例えば、カバー６００は、アクリル樹脂で作られることができる。
【００６８】
本発明のこの実施の形態について、カバー６００は、３×４マトリックスで位置決めされる複数の隆起表面６１０を備えている。その隆起表面６２０〜６３１のそれぞれは、フラットパネルディスプレイ１１２によって隆起表面の下に生成される画像を拡大するためのレンズとして機能する。一例として、数１〜９および０は、それぞれに、隆起表面６２０〜６２８および６３０の下で生成されるのに対して、記号「＊」および「＃」は、隆起表面６２９および６３１の下で生成されることができる。
【００６９】
カバー６００は、様々な固定機構によってディスプレイ１１０に堅固に結合されている。一例として、カバー６００は、カバー６００の第１端部６０２において固定開口部６４０を、および／または、カバー６００の第２端部６０４において固定開口部６５０を特徴とする。固定開口部６４０、６５０には、第２部分６４４、６５４よりも大きい直径を有する第１部分６４２、６５２が作られている。固定開口部６４０、６５０は、留め具６６０、６６２をそれぞれに受容するように構成されている。
【００７０】
より詳細には、カバー６００は、留め具６６０、６６２が、両方とも第１部分６４２、６５２を通ってそれぞれに挿入されるときディスプレイ１１０にゆるく取り付けられる。しかしながら、このカバー６００は、留め具６６０、６６２の１つ、あるいは、二つがここでは第２部分６４４、６５４を通ってそれぞれに挿入されるように横方向に変位されるとき、カバー６００は、図１８に示されるようにディスプレイ１１０に堅固に取り付けられる。
【００７１】
隆起表面６１０は、いくつかの方向に構成されることができるということが予想されている。例えば、隆起表面６１０は、ミュージック装置のプレイ（ＰＬＡＹ）ボタン、ストップ（ＳＴＯＰ）ボタン、早送り（ＦＡＳＴ  ＦＯＲＷＡＲＤ）ボタン、巻き戻し（ＲＥＷＩＮＤ）ボタンおよび排出（ＥＪＥＣＴ）ボタンを表示するように構成されることができる。さらに、隆起表面６１０には、計算機の機能を表示する数表示ボタン（０〜９）および計算ボタン（「＋」、「‐」、「／」、「＊」、「＝」）が構成されることができる。
【００７２】
本発明の特定の実施の形態が、添付の図面に記述され、示されているが、そのような実施の形態は、本発明の様々な実施の形態の単なる例示であり、これら制約されるものではないということ、これらの実施の形態は、様々な他の実施の態様が可能であるので、示され、記述されている特定の構造および配置に限定されるものではないということは理解されるべきである。
【図面の簡単な説明】
【００７３】
【図１】「タブレット」位置に配置された電子機器の実施の形態の側面図である。
【図２】「タブレット」位置に配置された図１の電子機器の実施の形態の上面図である。
【図３】「タブレット」位置に配置された図１の電子機器の実施の形態の底面図である。
【図４】「フリースタンディング」位置に配置された図１の電子機器の実施の形態を後方から見た斜視図である。
【図５】「フリースタンディング」位置に配置された図１の電子機器の実施の形態を前方から見た斜視図である。
【図６】（Ａ）は、電子機器のディスプレイと本体との間に置かれるように適合された結合部材の実施の形態の分解斜視図であり、  （Ｂ）は、電子機器のディスプレイと本体との間に置かれるように適合された結合部材のもう１つの実施の形態の分解斜視図である。
【図７】「タブレット」位置に配置された電子機器を伴なった本体の実施の形態の上面図である。
【図８】「タブレット」位置に配置された電子機器の本体内の相互接続領域の多重レイヤーの実施の形態の拡大図である。
【図９】図７の断面線Ａ−Ａに沿った電子機器の断面図である。
【図１０】図７の断面線Ｂ−Ｂに沿った、第２本体内に位置するスロットの断面図である。
【図１１】「フリースタンディング」位置への配置のための操作の説明のために、「タブレット」位置に配置された電子機器１００の実施の形態の上面図である。
【図１２】「フリースタンディング」位置への配置のための操作の説明のために、回転された電子機器の実施の形態の上面図である。
【図１３】「フリースタンディング」位置への配置のための操作の説明のために、「中間」位置に配置された電子機器の実施の形態の上面図である。
【図１４】図１２の断面線Ａ−Ａに沿った電子機器の断面図である。
【図１５】電子機器で行われる操作の説明のために、「フリースタンディング」位置に配置された電子機器の実施の形態の上面図である。
【図１６】図１５の断面線Ａ−Ａに沿った電子機器の断面図である。
【図１７】キーパッドとしての機能のために電子機器のディスプレイ上に配置されるカバーの実施の形態の斜視図である。
【図１８】図１７に示されたカバーが適用された電子機器のディスプレイの実施の形態の斜視図である。
【符号の説明】
【００７４】
１００…電子機器、１１０…ディスプレイ、１１２…フラットパネルディスプレイ、１１４，１１５…縁、１１６…頂面、１１８…ホットキー、１２０…本体、１３０…第１本体、１３１…ベース、１３２…突出部、１３３…隆起領域、１３４…メモリインタフェース、１３５，１３６，１４４…底面、１４０…第２本体、１４２…凹状部分、１４６…端部、１５０…ヒンジ、１６０，１６２…グロメット対、１７０…カメラ、１８０…ホルダー、２００…ポインティングデバイス、２０２…ポインタガイド、２０４，２０６…選択ボタン、２１０…キーボード、３００…結合部材、３１０…シャフト、３１２…第１端部、３１４…第２端部、３１６…第１側部、３２０…留め具要素、３２２…空洞、３３０…固定要素、３４０…ソケット、３５０…底面、４００…第１開口部、４０２…第１外周縁、４０３…第２外周縁、４０４…外周縁、４０５…外周縁、４０６…外周縁、４０７，４０８…ほぼ直線の外周縁、４１０…第１相互接続保持領域、４１２…第２相互接続保持領域、４１４…第３相互接続保持領域、４１６…細長開口（channel)、４２０…第２開口部、４２２…細長開口（channel)部分、４２４…拡張部分、４２６，４２７…外周縁、４２８…外周縁の一部分、４４０…相互接続領域、４５０…スロット、５００…第１保持要素、５１０…第１端部、５２０…凹部、５３０…第２保持要素、５４０…第２端部、５５０…凹部、５６０，５７０…フランジ、５８０…側壁、６００…カバー、６０２…第１端部、６０４…第２端部、６１０，６２０，６２２，６２３，６２４，６２５，６２６，６２７，６２８，９２９，６３０，６３１…隆起表面、６４０，６５０…固定開口部、６４２，６５２…第１部分、６４４，６５４…第２部分、６６０，６６２…留め具
【図１】
0004649134.tif 000002
【図２】
0004649134.tif 000003
【図３】
0004649134.tif 000004
【図４】
0004649134.tif 000005
【図５】
0004649134.tif 000006
【図６】
0004649134.tif 000007
【図７】
0004649134.tif 000008
【図８】
0004649134.tif 000009
【図９】
0004649134.tif 000010
【図１０】
0004649134.tif 000011
【図１１】
0004649134.tif 000012
【図１２】
0004649134.tif 000013
【図１３】
0004649134.tif 000014
【図１４】
0004649134.tif 000015
【図１５】
0004649134.tif 000016
【図１６】
0004649134.tif 000017
【図１７】
0004649134.tif 000018
【図１８】
0004649134.tif 000019